(57)【要約】【課題】十分なマッサージ効果を得ることのできるマッサージ用エアセルとエアマッサージ機を提供する。【解決手段】空気の給排気により膨張・収縮するセル本体２０を備えたマッサージ用エアセル１８Ａであって、セル本体２０の表側２１の袋地に渦巻状の凹凸２１Ａを設けて袋地を屈曲させた。【選択図】図２
2004008242.tif 000002
【特許請求の範囲】
【請求項１】
空気の給排気により膨張・収縮するセル本体を備えたマッサージ用エアセルであって、
前記セル本体の表側の袋地に渦巻状の凹凸を設けて袋地を屈曲させたことを特徴とするマッサージ用エアセル。
【請求項２】
前記渦巻状の頂点を挟む左右の両側でその渦巻線の数が異なることを特徴とする請求項１に記載のマッサージ用エアセル。
【請求項３】
請求項１または請求項２に記載のマッサージ用エアセルを備え、前記セル本体の前記渦巻状の凹凸を設けた袋地を人体側に対向させたことを特徴とするエアマッサージ機。
【請求項４】
前記マッサージ用エアセルが少なくとも一対設けられ、これらマッサージ用エアセルを渦巻の方向を互いに逆にして配設したことを特徴とする請求項３に記載のエアマッサージ機。
【発明の詳細な説明】
【０００１】
【発明が属する技術分野】
この発明は、マッサージ効果を高めることのできるマッサージ用エアセルとエアマッサージ機に関する。
【０００２】
【従来の技術】
従来から、空気の給排気により膨張・収縮する袋状のセル本体を備えたエアセルが知られている。
【０００３】
かかるエアセルは、空気の給気により膨張し、排気により収縮していくものであり、これら膨張・収縮を繰り返すことによってマッサージを行っていくものである。
【０００４】
【発明が解決しようとする課題】
しかしながら、上記のようなエアセルにあっては、単に膨張して身体の被施療部を押圧していくだけであるから、十分なマッサージ効果を得ることができなかった。
【０００５】
この発明の目的は、十分なマッサージ効果を得ることのできるマッサージ用エアセルとエアマッサージ機を提供することにある。
【０００６】
【課題を解決するための手段】
この発明は、上記目的を達成するため、空気の給排気により膨張・収縮するセル本体を備えたマッサージ用エアセルであって、
前記セル本体の表側の袋地に渦巻状の凹凸を設けて袋地を屈曲させたことを特徴とする。
【０００７】
【発明の実施の形態】
以下、この発明に係るマッサージ用エアセルとエアマッサージ機の実施の形態を図面に基づいて説明する。
【０００８】
図１に示すエアマッサージ機１０は、座部１１と、この座部１１の後ろに設けた背もたれ部１２と、座部１１の前に設けたオットマン１３と、座部１１の両側に設けたアームレスト１４，１５と、オットマン１３の下部に設けたフットレスト１６と、座部１１の下側に設けた給排気装置１７とを有している。
【０００９】
背もたれ部１２の前面には、首／肩用の一対のエアセル１８Ａ，１８Ｂと、背中用の一対のエアセル１８Ｃ，１８Ｄと、腰用の一対のエアセル１８Ｅ，１８Ｆとが設けられている。座部１１の上面には、臀部用の一対のエアセル１８Ｇ，１８Ｈが設けられている。オットマン１３には図７に示すように脚部を入れるＵ字状の凹部１３Ａ，１３Ｂの両側面にふくらはぎ用のエアセル１８Ｉ〜１８Ｌがそれぞれ設けられ、その凹部１３Ａ，１３ＢのＵ字状の底部にはエアセル１８Ｍ，１８Ｎが設けられている。フットレスト１６の上面には足裏用の一対のエアセル１８Ｏ，１８Ｐが設けられている。
【００１０】
各エアセル１８Ａ〜１８Ｐは、座部１１，背もたれ部１２，オットマン１３，フットレスト１６に取り付けられたカバーＫによって覆われている。なお、図７においてカバーＫは省略してある。
【００１１】
アームレスト１４の上部には操作部１９が設けられており、この操作部１９にはオン・オフスイッチや全身コース、上半身コース、下半身コースなどのコースを選択するためのコース選択スイッチなどが設けられている。
【００１２】
マッサージ用エアセル１８Ａ，１８Ｃ，１８Ｅ，１８Ｇ，１８Ｉ，１８Ｋ，１８Ｍ，１８Ｏは、図２に示すように、袋状のセル本体２０を備えており、２１はその表側（片側）である。セル本体２０の表側２１の袋地は屈曲されて中心から外側に向かって時計回りの渦巻状の凹凸２１Ａが形成されている。この凹凸２１Ａは図４に示すようにその渦巻の頂点を挟む左右の両側でその渦巻線の数が異なるようにされ、ここでは範囲Ｘにおいて渦巻線が３本とされ、それ以外の範囲では渦巻線が２本とされている。
【００１３】
セル本体２０はほぼ長方形であり、その一端には口部２２が形成され、またその口部２２の両隣に取付板２３，２４が設けられている。エアセル１８Ａ，１８Ｃ，１８Ｅ，１８Ｇ，１８Ｉ，１８Ｋ，１８Ｍ，１８Ｏは口部２２から空気の給気を行うことで図５に示すように膨張し、口部２２から空気を排気することで収縮するようになっている。
【００１４】
マッサージ用エアセル１８Ｂ，１８Ｄ，１８Ｆ，１８Ｈ，１８Ｊ，１８Ｌ，１８Ｎ，１８Ｐは、図３に示すように、袋状のセル本体２５を備えており、２６はその表側（片側）である。セル本体２５の表側２６の袋地は屈曲されて中心から外側に向かって反時計回りの渦巻状の凹凸２６Ａが形成されている。この凹凸２６Ａもその渦巻の頂点を挟む左右の両側でその渦巻線の数が異なるようにされ、ここでは範囲Ｙにおいて渦巻線が３本とされ、それ以外の範囲では渦巻線が２本とされている。
【００１５】
セル本体２５もほぼ長方形であり、その一端には口部２７が形成され、またその口部２７の両隣に取付板２８，２９が設けられている。
【００１６】
それらマッサージ用エアセル１８Ａ〜１８Ｐは対をなすもの同士は渦巻の方向が互いに逆となるようにされている。例えば、首／肩用のエアセル１８Ａと、エアセル１８Ｂとはそれぞれの渦巻の方向が前者は時計方向に、後者は反時計方向になっている。
【００１７】
給排気装置１７は、図８に示すように構成され、上述したエアセル１８Ａ〜１８Ｐの膨縮を制御するものである。この図に示す給排気装置１７は制御装置３０とポンプ３１と電磁弁３２Ａ〜３２Ｈを備えている。
【００１８】
エアセル１８Ａ，１８Ｂは、電磁弁３２Ａの開成によりポンプ３１と連通してポンプ３１から空気を給気し、電磁弁３２Ａの閉成により大気に開放されて空気を排気していくようになっている。
【００１９】
エアセル１８Ｃ〜１８Ｐも同様に、それぞれの電磁弁３２Ｂ〜３２Ｈの開成によりポンプ３１と連通して、このポンプ３１から空気を給気し、電磁弁３２Ｂ〜３２Ｈの閉成により大気に開放されて空気を排気していくようになっている。
【００２０】
制御装置３０は、操作部１９の操作によって設定されたコースなど基づいてポンプ３１や電磁弁３２Ａ〜３２Ｈを制御するようになっている。
【００２１】
いま、例えば首／肩マッサージコースが設定されると、制御装置３０はポンプ３１を駆動させるとともに電磁弁３２Ａを開成する。この電磁弁３２Ａの開成によりエアセル１８Ａ，１８Ｂが膨張していく。このエアセル１８Ａ，１８Ｂが膨張した後、電磁弁３２Ｂが閉成されてエアセル１８Ａ，１８Ｂが収縮されていく。このエアセル１８Ａ，１８Ｂの膨縮が繰り返し行われて、首／肩のマッサージが行われていく。
【００２２】
ところで、エアセル１８Ａ，１８Ｂの膨張の際、エアセル１８Ａ，１８Ｂのセル本体２０，２５の表側２１，２６に渦巻状の凹凸２１Ａ，２６Ａが設けられていることにより、その表側２１，２６がその膨張とともに一点鎖線で示す矢印方向（渦巻を解く方向）へ捻れていく。すなわち、エアセル１８Ａ，１８Ｂは、捻れながら膨張していき、首／肩を捻れながら押圧していくことになる。これによって、良好なマッサージ効果を得ることができることになる。
【００２３】
また、その捻れは互いに逆方向なので、エアセル１８Ａとエアセル１８Ｂとの間の部位をそのエアセル１８Ａとエアセル１８Ｂとで挟み込まれる状態となり、エアセル１８Ａ，１８Ｂによるマッサージ効果はより向上する。
【００２４】
また、ふくらはぎのマッサージコースが設定されると、まず電磁弁３２Ｅ，３２Ｆが開成されて、エアセル１８Ｉ〜１８Ｌが膨張される。エアセル１８Ｉ，１８Ｋとエアセル１８Ｊ，１８Ｌが上記と同様に互いに逆方向に捻れながら膨張していき、ふくらはぎを捻りながら両側から挟み込んでいく。このため、ふくらはぎは十分にマッサージされ、しかもその捻りは互いに逆方向なのでそのマッサージはより効果的なものとなる。そして、エアセル１８Ｉ〜１８Ｌの膨張によりふくらはぎが固定され、ついで電磁弁３２Ｇが開成されて、エアセル１８Ｍ，１８Ｎが膨張していく。エアセル１８Ｍ，１８Ｎは上記と同様に捻れながら膨張していくので、ふくらはぎはより効果的にマッサージされることとなる。このエアセル１８Ｍ，１８Ｎの膨張の際、エアセル１８Ｉ〜１８Ｌの膨張によりふくらはぎが固定されているので、オットマン１３の凹部１３Ａ，１３Ｂからそのふくらはぎが押し出されてしまうことがなく、ふくらはぎを確実にマッサージすることができる。
【００２５】
そして、電磁弁３２Ｅ〜３２Ｇが閉成され、エアセル１８Ｉ〜１８Ｎが収縮していく。この電磁弁３２Ｅ〜３２Ｇの開閉動作によりエアセル１８Ｉ〜１８Ｎの膨縮が繰り返し行われていく。
【００２６】
この場合、電磁弁３２Ｅ，３２Ｆを開成したままで、電磁弁３２Ｇを繰り返し開閉してエアセル１８Ｍ，１８Ｎを繰り返し膨張・収縮させることも可能である。
【００２７】
エアセル１８Ｃ〜１８Ｈの膨縮によるマッサージも上記と同様にエアセル１８Ｃ〜１８Ｈが捻れながら膨張していくので、より効果的なものとなる。
【００２８】
【発明の効果】
以上説明したように本発明によれば、エアセルは捻れながら膨張していくので、十分なマッサージ効果を得ることができる。
【図面の簡単な説明】
【図１】この発明に係るエアマッサージ機を示した斜視図である。
【図２】エアセルの構成を示した平面図である。
【図３】他のエアセルの構成を示した平面図である。
【図４】エアセルの構成を示した断面図である。
【図５】エアセルが膨張した状態を示した説明図である。
【図６】首／肩用の一対のエアセルを示した説明図である。
【図７】オットマンに設けたエアセルの配置を示した説明図である。
【図８】給排気装置の構成を示したブロック図である。
【符号の説明】
１８Ａ　　エアセル
２０　　　セル本体
２１　　　表側
２１Ａ　　　凹凸
【図１】
2004008242.tif 000003
【図２】
2004008242.tif 000004
【図３】
2004008242.tif 000005
【図４】
2004008242.tif 000006
【図５】
2004008242.tif 000007
【図６】
2004008242.tif 000008
【図７】
2004008242.tif 000009
【図８】
2004008242.tif 000010